(57)【特許請求の範囲】
【請求項１】
長軸方向の各位置における断面積が異なる形状を有する電子体温計を収納する収納ケースであって、
前記収納ケースは、第１の開口部を通してハウジングに挿入された前記電子体温計を前記ハウジングの内部において保持し、
前記ハウジングの内壁には、前記長軸方向の各位置のうち、前記断面積が最も大きい位置を含む前記電子体温計の周面を保持する保持部材が設けられ、
前記ハウジングは、前記第１の開口部と略直交する面のうち、前記保持部材が配されていない領域に、第２の開口部を備え、前記ハウジングには、開閉部が、前記第２の開口部を覆うように回動可能またはスライド可能に取り付けられていることを特徴とする収納ケース。
【請求項２】
長軸方向の各位置における断面積が異なる形状を有する電子体温計を収納する収納ケースであって、
前記収納ケースは、第１の開口部を通してハウジングに挿入された前記電子体温計を前記ハウジングの内部において保持し、
前記電子体温計は、表示部を前記断面積が最も大きい位置に有し、サーミスタを内蔵した金属キャップを先端側に有し、
前記ハウジングの内壁には、前記長軸方向の各位置のうち、前記断面積が最も大きい位置を含む前記電子体温計の周面を保持する保持部材が設けられ、
前記ハウジングは、前記第１の開口部と略直交する面のうち、前記保持部材が配されていない領域に、第２の開口部を備え、
前記電子体温計が前記収納ケースに収納された状態において、前記長軸方向における前記第２の開口部の長さは、前記長軸方向における前記表示部の長さより長い、
ことを特徴とする収納ケース。
【請求項３】
前記保持部材は、前記電子体温計の周面の位置を規制するリブであることを特徴とする請求項１又は２に記載の収納ケース。
【請求項４】
前記保持部材は、前記電子体温計の周面に設けられた凹部に嵌合する凸部を有する嵌合部であることを特徴とする請求項１又は２に記載の収納ケース。
【請求項５】
前記ハウジングには、前記第２の開口部が複数設けられていることを特徴とする請求項１又は２に記載の収納ケース。
【請求項６】
透明の材質により形成されていることを特徴する請求項１乃至５のいずれか１項に記載の収納ケース。
【請求項７】
前記ハウジングには、前記電子体温計に内蔵された電池を覆う電池フタを取り外すための冶具が設けられていることを特徴とする請求項１乃至６のいずれか１項に記載の収納ケース。
【請求項８】
前記冶具は、前記電池フタに設けられた溝の位置、形状、個数に合致するように配置されていることを特徴とする請求項７に記載の収納ケース。
【発明の詳細な説明】
【技術分野】
【０００１】
本発明は、電子体温計の収納ケースに関するものである。
【背景技術】
【０００２】
被検体の体温を測定するための体温計として、従来より、電子体温計が広く普及している。一般に、電子体温計は被検体の体表面に直接接触させて測定を行うため、清潔であることが望ましく、衛生面を考慮して収納ケース等に入れて保管されることも多い。
【先行技術文献】
【特許文献】
【０００３】
【特許文献１】特開２０１１−５８８５７号公報
【発明の概要】
【発明が解決しようとする課題】
【０００４】
しかしながら、電子体温計の収納ケースは、通常、電子体温計の外観形状に則した細長い形状を有している。このため、収納ケースの内部を洗浄しようとした場合に、洗浄しにくいといった問題がある。【０００５】
これに対して、これまでは洗浄液等に入れ、つけ置き洗いを行うなどして対応してきたが、病院等の医療施設の場合、収納ケースには識別番号等を記載したシールが貼り付けられていることも多く、長時間、洗浄液等に漬けておくことは好ましくない。【０００６】
このようなことから、電子体温計の収納ケースは、内部を簡単に洗浄できる構成となっていることが望ましい。【０００７】
本発明は上記課題に鑑みてなされたものであり、内部の洗浄が容易な電子体温計の収納ケースを提供することを目的とする。
【課題を解決するための手段】
【０００８】
本発明の第１の側面は、長軸方向の各位置における断面積が異なる形状を有する電子体温計を収納する収納ケースに係り、前記収納ケースは、第１の開口部を通してハウジングに挿入された前記電子体温計を前記ハウジングの内部において保持し、前記ハウジングの内壁には、前記長軸方向の各位置のうち、前記断面積が最も大きい位置を含む前記電子体温計の周面を保持する保持部材が設けられ、前記ハウジングは、前記第１の開口部と略直交する面のうち、前記保持部材が配されていない領域に、第２の開口部を備え、前記ハウジングには、開閉部が、前記第２の開口部を覆うように回動可能またはスライド可能に取り付けられている。
本発明の第２の側面は、長軸方向の各位置における断面積が異なる形状を有する電子体温計を収納する収納ケースに係り、前記収納ケースは、第１の開口部を通してハウジングに挿入された前記電子体温計を前記ハウジングの内部において保持し、前記電子体温計は、表示部を前記断面積が最も大きい位置に有し、サーミスタを内蔵した金属キャップを先端側に有し、前記ハウジングの内壁には、前記長軸方向の各位置のうち、前記断面積が最も大きい位置を含む前記電子体温計の周面を保持する保持部材が設けられ、前記ハウジングは、前記第１の開口部と略直交する面のうち、前記保持部材が配されていない領域に、第２の開口部を備え、前記電子体温計が前記収納ケースに収納された状態において、前記長軸方向における前記第２の開口部の長さは、前記長軸方向における前記表示部の長さより長い。
【発明の効果】
【０００９】
本発明によれば、内部の洗浄が容易な電子体温計の収納ケースを提供することが可能となる。【００１０】
本発明のその他の特徴及び利点は、添付図面を参照とした以下の説明により明らかになるであろう。なお、添付図面においては、同じ若しくは同様の構成には、同じ参照番号を付すこととする。
【図面の簡単な説明】
【００１１】
添付図面は明細書に含まれ、その一部を構成し、本発明の実施の形態を示し、その記述と共に本発明の原理を説明するために用いられる。
【図１Ａ】図１Ａは、電子体温計１００の外観構成を示す図である。
【図１Ｂ】図１Ｂは、収納ケース１１０の構成を示す図である。
【図２Ａ】図２Ａは、収納ケース１１０に電子体温計１００を挿入した場合の内部の様子を示す図である。
【図２Ｂ】図２Ｂは、収納ケース１１０に電子体温計１００を挿入した場合の内部の様子を示す図である。
【図２Ｃ】図２Ｃは、収納ケース１１０に電子体温計１００を挿入した場合の内部の様子を示す図である。
【図３Ａ】図３Ａは、収納ケース３１０の構成を示す図である。
【図３Ｂ】図３Ｂは、収納ケース３１０に電子体温計１００を挿入した場合の内部の様子を示す図である。
【図４】図４は、収納ケース４１０の構成を示す図である。
【図５】図５は、収納ケース５１０の構成を示す図である。
【図６】図６は、収納ケース６１０の構成を示す図である。
【図７】図７は、収納ケース７１０の構成を示す図である。
【図８】図８は、収納ケース８１０の構成を示す図である。
【図９】図９は、収納ケース９１０の構成を示す図である。
【図１０】図１０は、電子体温計１００の本体部１０１の電池ハウジング１００１を取り付けまたは取り外す様子を示した図である。
【図１１】図１１は、電子体温計１００の本体部１０１の電池ハウジング１００１を取り付けまたは取り外すための冶具を説明するための図である。
【図１２】図１２は、収納ケース１２１０の構成を示す図である。
【発明を実施するための形態】
【００１２】
以下、本発明の各実施形態について図面を参照しながら説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
［第１の実施形態］
＜１．電子体温計の外観構成＞
はじめに、収納ケースに収納される電子体温計の外観構成について説明する。図１Ａは、電子体温計１００の外観構成を示す図である。
【００１４】
電子体温計１００において、１０１は本体部であり、演算制御部等の電子回路、電池（電源部）等が収納されている。
【００１５】
１０２は、ステンレス製の金属キャップで、温度を計測するためのサーミスタが内蔵されている。１０３は電源ＯＮ／ＯＦＦスイッチであり、１回押圧すると電源部がＯＮとなり、再度押圧すると電源部がＯＦＦとなる。１０４は表示部であり、被検者の体温を表示する。
【００１６】
１０５−１から１０５−４は、電子体温計１００の長軸方向のそれぞれの位置における断面形状を示している。１０５−３及び１０５−４に示すように、電子体温計１００は、表示部１０４を挟んで、尾部側の位置から先端側の位置までの領域において、概ね同じ断面形状（電子体温計１００の幅方向の長さＷのほうが、厚さ方向の長さＤよりも長い長方形の断面形状）を有しており、当該領域における断面積が、長軸方向の各位置における断面積の中で最も大きくなっている。
【００１７】
これに対して、１０５−１及び１０５−２に示すように、表示部１０４近傍における先端側の位置から、金属キャップ１０２にかけては、断面積が徐々に小さくなっていき、金属キャップ１０２近傍の本体部１０１の断面積が最も小さくなっている。
【００１８】
なお、電子体温計１００の裏面（表示部１０４が配された面と反対側の面）には、長軸方向に沿って凹部１０６が設けられており、後述する収納ケースの内壁に設けられた凸部により嵌合されることにより、電子体温計１００は、収納ケースによって安定的に保持されることとなる。
【００１９】
＜２．収納ケースの構成＞
次に、本実施形態に係る収納ケース１１０の構成について説明する。図１Ｂは、収納ケース１１０の構成を示す図であり、紙面上側は、収納ケース１１０を正面から見た場合の外観構成を、紙面下側は、収納ケース１１０のＡ−Ａ断面における断面構成をそれぞれ示している。収納ケース１１０は、スチレン系樹脂（ハイインパクトスチロール、ＡＢＳ樹脂）、ポリオレフィン系樹脂（ポリプロピレン、ポリエチレン）等の熱可塑性樹脂で形成される。これらの樹脂に、リン酸ジルコニウム銀化合物をほぼ１〜２．５重量％含むようにして、抗菌性を持たせるようにしてもよい。１％より少ないと、抗菌性を発揮できず、２．５％を越えると、成形性が低下する。
【００２０】
図１Ｂの１ａにおいて、１１１は本体ハウジングであり、電子体温計１００が挿入用の開口部（第１の開口部）１１３を介して矢印１２０方向に挿入された場合に、当該挿入された電子体温計１００を内部に保持する。
【００２１】
１１２は開閉部であり、本体ハウジング１１１の洗浄用の開口部（第２の開口部）１１６（１ｂ参照）を覆うことができるように、本体ハウジング１１１に対して回動軸１１７（１ｂ下参照）を介して回動可能に取り付けられている。開閉部１１２は、収納ケース１１０の内部を洗浄する際に開けられる。
【００２２】
図１Ｂの１ａは、開閉部１１２を閉じた状態を示しており、図１Ｂの１ｂは、開閉部１１２を開けた状態を示している。１ｂに示すように、洗浄用の開口部１１６は、本体ハウジング１１１のうち、挿入用の開口部１１３に対して、略直交する面の一部に設けられており、開閉部１１２を開けることで、本体ハウジング１１１の内部が露出するよう構成されている。これにより、ユーザは、開閉部１１２を開けた状態にすることで、本体ハウジング１１１の内部を容易に洗浄することができる。
【００２３】
１１４は蓋部であり、収納ケース１１０に電子体温計１００を挿入して保管したり、保管された電子体温計１００を収納ケース１１０から取り出したりする際に、開閉される。
【００２４】
１１５は回動軸であり、蓋部１１４は当該回動軸１１５を介して本体ハウジング１１１に回動可能に取り付けられている。
【００２５】
なお、収納ケース１１０はその内部の汚れ具合を確認できるよう、本体ハウジング１１１、開閉部１１２、蓋部１１４、回動軸１１５等の材質が、不透明ではなく、透明または半透明の材質により形成されていてもよい。
【００２６】
＜３．収納ケースの内部構成＞
次に、収納ケース１１０の内部構成について説明する。図２Ａは、電子体温計１００を収納ケース１１０に挿入した場合の内部の様子を示す図であり、紙面左側は、収納ケース１１０を正面から見た場合の内部構成を、紙面右側は、収納ケース１１０のＢ−Ｂ断面における断面構成をそれぞれ示している。
【００２７】
図２Ａに示すように、収納ケース１１０の内壁には、保持部材として機能するリブ２０１〜２０３が配されており、挿入された電子体温計１００の動きを規制している。
【００２８】
リブ２０１〜２０３は、収納された電子体温計１００の本体部１０１のうち、表示部１０４を挟んで、尾部側の位置から先端側の位置までの領域（断面積が最も大きい位置を含む領域）の周面の動きを規制している。このうち、リブ２０１、２０２は、電子体温計１００の周面のうち側面の位置を規制し、リブ２０３は、電子体温計１００の周面のうち裏面（表示部１０４が配された面と反対側の面）の位置を規制している。
【００２９】
このように、リブ２０１〜２０３が配されていることで、収納ケース１１０に挿入された電子体温計１００の動きが規制されるため、収納ケース１１０を振ったりした場合であっても、収納ケース１１０の内壁に電子体温計１００が衝突し、電子体温計１００が破損してしまうといった事態を回避することができる。
【００３０】
なお、図２Ａより明らかなように、リブ２０１〜２０３は、いずれも本体ハウジング１１１の内面の開口部（第２の開口部）１１６付近から奥に向かって長手方向にのみ配されており、開閉部１１２には配されていない。
【００３１】
また、図２Ａに示すように、収納ケース１１０の裏面側の内壁には、保持部材として機能する凸部（嵌合部）２０６が配されており、挿入された電子体温計１００の凹部１０６に嵌合する。これにより、例えば、電子体温計１００が収納ケース１１０に収納された状態で、収納ケース１１０がユーザにより逆さまに保持された場合であっても、かつ、蓋部１１４が開いてしまった場合であっても、ただちに、電子体温計１００が収納ケース１１０から滑り落ち、電子体温計１００を破損させてしまうといった事態を回避することができる。
【００３２】
以上の説明から明らかなように、本実施形態に係る収納ケース１１０では、電子体温計１００の動きを規制するリブ２０１〜２０３が配された位置以外の正面位置に、洗浄用の開口部１１６を設け、本体ハウジング１１１に対して、当該洗浄用の開口部１１６を覆うための開閉部１１２を回動可能に取り付ける構成とした。
【００３３】
これにより、電子体温計１００を保持するための保持機能を維持しつつ、本体ハウジング１１１内部の洗浄が容易な収納ケースを実現することが可能となった。
【００３４】
なお、上記説明では、収納ケース１１０の内壁にリブ２０１〜２０３と凸部２０６とを設ける構成としたが、本発明はこれに限定されず、例えば、凸部２０６のみを設ける構成としてもよい（図２Ｂの２０ａ参照）。
【００３５】
また、上記説明では、電子体温計１００の裏面に、凹部１０６が１つのみ設けられていることを前提とし、収納ケース１１０の内壁に、凸部２０６を１つのみ設ける構成としたが、本発明はこれに限定されない。例えば、電子体温計１００の裏面に、凹部１０６が２つ設けられていた場合にあっては、収納ケース１１０の内壁にも、凸部２０６を２つ設けるように構成してもよい（図２Ｂの２０ｂ参照）。
【００３６】
また、上記説明では、電子体温計１００の裏面に、凹部１０６が設けられていることを前提とし、収納ケース１１０の本体ハウジング１１１側の内壁に凸部２０６を設ける構成としたが、本発明はこれに限定されない。例えば、電子体温計１００の表面に、凹部１０６が設けられていた場合にあっては、収納ケース１１０の蓋部１１４の内壁に、凸部２０６を設ける構成としてもよい。
【００３７】
また、上記説明では、収納ケース１１０の内壁のリブとして、収納された電子体温計１００の本体部１０１のうち、表示部１０４を挟んで、尾部側の位置から先端側の位置までの領域の周面の動きを規制するためのリブ（リブ２０１〜２０３）を配する構成としたが、本発明はこれに限定されない。例えば、図２Ｃの２ａに示すように、収納された電子体温計１００の金属キャップ１０２の動きを弾性的に規制するためのリブ２０４を、本体ハウジング１１１の底面から垂直方向に配する構成としてもよい。この場合、円筒状にしてもよいし、複数本設けてもよい。いずれの場合でも、リブ（リブ２０１〜２０３）とリブ２０４は、射出成型等で本体ハウジング１１１と一体的に形成される。
【００３８】
あるいは、図２Ｃの２ｂ（左側）に示すように、収納ケース１１０の本体ハウジング１１１の先端部分を肉厚にしてガイド機能をもたせるようにしてもよい。ただし、本体ハウジング１１１の先端部分を肉厚にした場合、成形収縮によってヒケが発生するおそれがあるため、図２Ｃの２ｂ（右側）に示すように、本体ハウジング１１１の先端部分の表面に、複数の凹部２０７を設けるようにしてもよい。
【００３９】
［第２の実施形態］
上記第１の実施形態では、電子体温計１００の側面及び裏面の位置を規制するためのリブを、本体ハウジング１１１の側面側の内壁及び裏面側の内壁に配し、正面側に洗浄用の開口部１１６を設けたうえで、当該洗浄用の開口部を覆うための開閉部を正面側に取り付ける構成としたが、本発明はこれに限定されない。例えば、収納ケースの一方の側面に洗浄用の開口部を設けたうえで、当該洗浄用の開口部を覆うための開閉部を側面側に取り付ける構成としてもよい。
【００４０】
＜１．収納ケースの構成＞
はじめに、本実施形態に係る収納ケース３１０の構成について説明する。図３Ａは、収納ケース３１０の構成を示す図であり、紙面右側は、収納ケース３１０を側面から見た場合の外観構成を、紙面左側は、収納ケース３１０のＡ−Ａ断面における断面構成をそれぞれ示している。
【００４１】
図３Ａの３ａにおいて、３１１は本体ハウジングであり、電子体温計１００が挿入用の開口部１１３を介して矢印１２０方向に挿入された場合に、当該挿入された電子体温計１００を内部に保持する。
【００４２】
３１２は開閉部であり、本体ハウジング３１１の洗浄用の開口部３１６（３ｂ参照）を覆うことができるように本体ハウジング３１１に対して回動軸３１７を介して回動可能に取り付けられている。開閉部３１２は、収納ケース３１０の内部を洗浄する際に開けられる。
【００４３】
図３Ａの３ａは、開閉部３１２を閉じた状態を示しており、図３Ａの３ｂは、開閉部３１２を開いた状態を示している。３ｂに示すように、洗浄用の開口部３１６は、本体ハウジング３１１のうち、挿入用の開口部１１３に対して、略直交する面の一部に設けられており、開閉部３１２を開いた状態にすることで、本体ハウジング３１１の内部が露出するよう構成されている。これにより、ユーザは、開閉部３１２を開いた状態にすることで、本体ハウジング３１１の内部を容易に洗浄することができる。
【００４４】
なお、上記第１の実施形態と同様に、本実施形態においても、収納ケース３１０の内部の汚れが確認できるようにするために、収納ケース３１０の本体ハウジング３１１、開閉部３１２、蓋部１１４等の材質は不透明ではなく、透明または半透明の材質により形成されてもよい。
【００４５】
＜２．収納ケースの内部構成＞
次に、収納ケース３１０の内部構成について説明する。図３Ｂは、電子体温計１００を収納ケース３１０に挿入した場合の内部の様子を示す図であり、紙面上側は、収納ケース３１０を側面から見た場合の内部構成を、紙面下側は、収納ケース３１０のＢ−Ｂ断面における断面構成をそれぞれ示している。
【００４６】
図３Ｂに示すように、収納ケース３１０の内壁にはリブ３０１〜３０３が配されており、挿入された電子体温計１００の動きを規制している。リブ３０１〜３０３は、射出成型等で本体ハウジング１１１と一体的に形成される。
【００４７】
リブ３０１〜３０３は、収納された電子体温計１００の本体部１０１のうち、表示部１０４を挟んで、尾部側の位置から先端側の位置までの領域（断面積が最も大きい位置を含む領域）の周面の動きを規制する。具体的には、リブ３０１〜３０３は、電子体温計１００の周面のうち正面及び裏面及び開閉部３１２と反対側の側面の位置を規制している。
【００４８】
このように、リブ３０１〜３０３が配されることで、収納ケース３１０に挿入された電子体温計１００の動きが制限されるため、収納ケース３１０を振ったりした場合であっても、収納ケース３１０の内壁に電子体温計１００が衝突し、電子体温計１００が破損してしまうといった事態を回避することができる。
【００４９】
なお、図３Ｂより明らかなように、リブ３０１〜３０３は、いずれも本体ハウジング３１１にのみ配されており、開閉部３１２には、リブは配されていない。
【００５０】
また、図３Ｂに示すように、収納ケース３１０の裏面側の内壁には、保持部材として機能する凸部（嵌合部）３０６が配されており、挿入された電子体温計１００の凹部１０６に嵌合する。これにより、例えば、電子体温計１００が収納ケース１１０に収納された状態で、収納ケース１１０がユーザにより逆さまに保持された場合であっても、かつ、蓋部１１４が開いてしまった場合であっても、ただちに、電子体温計１００が収納ケース３１０から滑り落ち、電子体温計１００を破損してしまうといった事態を回避することができる。
【００５１】
以上の説明から明らかなように、本実施形態に係る収納ケース３１０では、電子体温計１００の動きを規制するリブ３０１〜３０３が配された位置以外の位置に、洗浄用の開口部３１６を設け、本体ハウジング３１１に対して、当該洗浄用の開口部３１６を覆うための開閉部３１２を回動可能に取り付ける構成とした。
【００５２】
これにより、電子体温計１００を保持するための保持機能を維持しつつ、本体ハウジング３１１内部の洗浄が容易な収納ケースを実現することが可能となった。
【００５３】
なお、上記第１の実施形態と同様に、本実施形態においても、リブ３０１〜３０３の有無、凸部３０６の個数及び配置は、上記説明に限定されるものではないことはいうまでもない。また、金属キャップ１０２の動きを規制するためのリブが配されていてもよいことはいうまでもない。
【００５４】
［第３の実施形態］
上記第１の実施形態では、洗浄用の開口部１１６を覆うために、本体ハウジング１１１に対して、開閉部１１２を回動可能に取り付ける構成としたが、本発明はこれに限定されない。例えば、洗浄用の開口部１１６を覆うために、本体ハウジングに対して、開閉部をスライド可能に取り付ける構成としてもよい。以下、本実施形態の詳細について説明する。なお、上記第１の実施形態と同様の構成要素については、同じ参照番号を付すこととし、ここでは説明を省略する（ここでは、上記第１の実施形態との相違点を中心に説明を行う）。
【００５５】
図４は、本実施形態に係る収納ケース４１０の構成を示す図であり、４ａは、収納ケース４１０を正面から見た場合の外観構成を、４ｂは、収納ケース４１０のＡ−Ａ断面、Ｂ−Ｂ断面、Ｃ−Ｃ断面における断面構成をそれぞれ示している。
【００５６】
図４の４ａにおいて、４１１は本体ハウジングであり、電子体温計１００が挿入用の開口部１１３（４ｂ下参照）を介して矢印１２０方向に挿入された場合に、当該挿入された電子体温計１００を内部に保持する。
【００５７】
４１２は開閉部であり、本体ハウジング４１１の洗浄用の開口部（第２の開口部）４１６を覆うために、本体ハウジング４１１に対して、摺動部４１７（４ｂ下参照）を介してスライド可能に取り付けられている。開閉部４１２は、収納ケース４１０の内部を洗浄する際に開けられる。
【００５８】
また、図４の４ａに示すように、洗浄用の開口部４１６は、本体ハウジング４１１のうち、挿入用の開口部１１３に対して、略直交する面の一部に設けられており、開閉部４１２をスライドさせることで、本体ハウジング４１１の内部が露出するよう構成されている。これにより、ユーザは、開閉部４１２を開けた状態にすることで、本体ハウジング１１１の内部を容易に洗浄することができる。
【００５９】
なお、図４の４ｂに示すように、収納ケース４１０の内壁にはリブ２０１〜２０３が配されており、収納された電子体温計１００の本体部１０１のうち、表示部１０４を挟んで、尾部側の位置から先端側の位置までの領域（断面積が最も大きい位置を含む領域）の周面（側面及び裏面）の動きを規制している。
【００６０】
なお、リブ２０１〜２０３は、いずれも本体ハウジング４１１にのみ、射出成型等で長手方向に一体的に形成されて配されており、開閉部４１２には、リブは配されていない。
【００６１】
以上の説明から明らかなように、本実施形態に係る収納ケース４１０では、電子体温計１００の動きを規制するリブ２０１〜２０３が配された位置以外の位置に、洗浄用の開口部４１６を設け、本体ハウジング４１１に対して当該洗浄用の開口部４１６を覆うための開閉部４１２をスライド可能に取り付ける構成とした。
【００６２】
これにより、電子体温計１００を保持するための保持機能を維持しつつ、本体ハウジング４１１内部の洗浄が容易な収納ケースを実現することが可能となった。
【００６３】
［第４の実施形態］
上記第３の実施形態では、電子体温計１００の側面及び裏面の位置を規制するためのリブを、本体ハウジング４１１の側面側の内壁及び裏面側の内壁に配し、正面側に洗浄用の開口部４１６を設け、当該洗浄用の開口部を開閉するための開閉部を正面側に設ける構成としたが、本発明はこれに限定されない。上記第２の実施形態と同様に、例えば、収納ケースの一方の側面に洗浄用の開口部を設け、当該洗浄用の開口部を覆うための開閉部を当該側面側にスライド可能に取り付けるように構成してもよい。
【００６４】
なお、上記第３の実施形態では、凸部（嵌合部）について特に言及しなかったが、上記第１及び第２の実施形態と同様に、電子体温計１００に設けられた凹部に嵌合する凸部を配する構成としてもよい。
【００６５】
［第５の実施形態］
上記第１乃至第４の実施形態では、洗浄用の開口部を覆うために、本体ハウジングに対して開閉部を回動可能（またはスライド可能）に取り付ける構成としたが、本発明はこれに限定されず、洗浄用の開口部を覆うための開閉部を取り付けない構成としてもよい。以下、本実施形態の収納ケース５１０について図５を用いて説明する。
【００６６】
図５は、本実施形態に係る収納ケース５１０の構成を示す図であり、５ａは電子体温計１００を矢印１２０に挿入する前の状態を示す外観構成であり、５ｂの紙面左側は、電子体温計１００が、挿入用の開口部１１３を介して矢印１２０方向に挿入され、内部に保持された状態を示す外観構成であり、５ｂの紙面右側は、その時のＢ−Ｂ断面における断面構成を示している。
【００６７】
図５の５ａにおいて、５１１は本体ハウジングであり、電子体温計１００が挿入用の開口部１１３を介して矢印１２０方向に挿入された場合に、当該挿入された電子体温計１００を内部に保持する。５１６は洗浄用の開口部であり、収納ケース５１０の内部を洗浄する際に利用される。なお、洗浄用の開口部５１６は、本体ハウジング５１１のうち、挿入用の開口部１１３に対して、略直交する面に設けられており、本体ハウジング５１１の内部を露出させる。これにより、ユーザは、本体ハウジング５１１の内部を容易に洗浄することができる。
【００６８】
なお、電子体温計１００は、収納ケース５１０に対して、洗浄用の開口部（第２の開口部）５１６側が電子体温計１００の裏面側となるように収納されるものとする。これにより、収納ケース５１０に収納された状態で、電子体温計１００の表示部１０４が本体ハウジング５１１により保護されることとなるからである。なお、このようにして収納された場合、電子体温計１００の表示部１０４を視認することができなくなるため、本実施形態に係る収納ケース５１０では、本体ハウジング５１１に視認用の開口窓（または透明材の窓）５１２が設けられている。
【００６９】
また、図５の５ｂに示すように、収納ケース５１０の内壁にはリブ２０１〜２０３が射出成型等で長手方向に一体的に形成されて配されており、収納された電子体温計１００の本体部１０１のうち、表示部１０４を挟んで、尾部側の位置から先端側の位置までの領域（断面積が最も大きい位置を含む領域）の周面（側面及び裏面）の動きを規制している。
【００７０】
更に、収納ケース１１０の側面側の内壁には、保持部材として機能する凸部（嵌合部）５２１、５２２が配されており、挿入された電子体温計１００の側面の凹部５３１、５３２に嵌合する。これにより、例えば、電子体温計１００が収納ケース５１０に収納された状態で、収納ケース５１０がユーザにより逆さまに保持された場合であっても、ただちに、電子体温計１００が収納ケース５１０から滑り落ち、電子体温計１００が破損してしまうといった事態を回避することができる。
【００７１】
以上の説明から明らかなように、本実施形態に係る収納ケース５１０では、電子体温計１００の動きを規制するリブ２０１〜２０３及び凸部５２１、５２２が配された位置以外の位置に、洗浄用の開口部５１６を設ける構成とした。
【００７２】
これにより、電子体温計１００を保持するための保持機能を維持しつつ、本体ハウジング５１１内部の洗浄が容易な収納ケースを実現することが可能となった。
【００７３】
なお、上記第１の実施形態と同様に、本実施形態においても、リブ２０１〜２０３の有無、凸部５２１、５２２の個数及び配置は、上記説明に限定されるものではない。また、金属キャップ１０２の動きを規制するためのリブが配されていてもよいことはいうまでもない。
【００７４】
［第６の実施形態］
上記第５の実施形態では、洗浄用の開口部５１６を、収納ケース５１０の裏面側（電子体温計１００を収納した際に、表示部１０４が配された側と反対側）にのみ１つ設ける構成したが、本発明はこれに限定されない。リブ２０１〜２０３、凸部５２１、５２２が配された位置以外であれば、洗浄用の開口部を複数設けるように構成してもよい。
【００７５】
図６は、本実施形態に係る収納ケース６１０の構成を示す図であり、６ａは電子体温計１００を矢印１２０に挿入する前の状態を示す外観構成であり、６ｂの紙面左側は、電子体温計１００が、挿入用の開口部１１３を介して矢印１２０方向に挿入され、内部に保持された状態を示す外観構成であり、６ｂの紙面右側は、その時のＢ−Ｂ断面における断面構成である。
【００７６】
図６の６ａにおいて、６１１は本体ハウジングであり、電子体温計１００が挿入用の開口部１１３を介して矢印１２０方向に挿入された場合に、当該挿入された電子体温計１００を内部に保持する。６１６、６１６’は洗浄用の開口部であり、収納ケース６１０の内部を洗浄する際に利用される。なお、洗浄用の開口部（第２の開口部）６１６、６１６’は、本体ハウジング６１１のうち、挿入用の開口部１１３に対して、略直交する面に設けられており、本体ハウジング６１１の内部を露出させる。これにより、ユーザは、本体ハウジング６１１の内部を容易に洗浄することができる。
【００７７】
また、図６の６ｂに示すように、収納ケース６１０の内部にはリブ２０１〜２０３が射出成型等で長手方向に一体的に形成されて配されており、収納された電子体温計１００の本体部１０１のうち、表示部１０４を挟んで、尾部側の位置から先端側の位置までの領域（断面積が最も大きい位置を含む領域）の周面（側面及び裏面）の動きを規制している。
【００７８】
また、図６の６ｂに示すように、収納ケース６１０の側面側の内壁には、保持部材として機能する凸部（嵌合部）５２１、５２２が配されており、挿入された電子体温計１００の側面に設けられた凹部５３１、５３２に嵌合する。これにより、例えば、電子体温計１００が収納ケース６１０に収納された状態で収納ケース６１０がユーザにより逆さまに保持された場合であっても、ただちに、電子体温計１００が収納ケース６１０から滑り落ち、電子体温計１００を破損してしまうといった事態を回避することができる。
【００７９】
以上の説明から明らかなように、本実施形態に係る収納ケース６１０では、電子体温計１００の動きを規制するリブ２０１〜２０３、凸部５２１、５２２が配された位置以外の位置に、洗浄用の開口部６１６、６１６’を複数設ける構成とした。
【００８０】
これにより、電子体温計１００を保持するための保持機能を維持しつつ、本体ハウジング６１１内部の洗浄が容易な収納ケースを実現することが可能となった。
【００８１】
なお、本実施形態においても、リブ２０１〜２０３の有無、凸部５２１、５２２の個数及び配置は、上記説明に限定されるものではないことはいうまでもない。また、金属キャップ１０２の動きを規制するためのリブが配されていてもよいことはいうまでもない。
【００８２】
［第７の実施形態］
上記第５の実施形態では、電子体温計１００の側面及び裏面の位置を規制するためのリブを、本体ハウジング５１１の側面側の内壁及び裏面側の内壁に配し、正面側に洗浄用の開口部（第２の開口部）５１６を設ける構成としたが、本発明はこれに限定されない。例えば、収納ケースの一方の側面に洗浄用の開口部を設ける構成としてもよい。
【００８３】
図７は、本実施形態に係る収納ケース７１０の構成を示す図であり、電子体温計１００が挿入用の開口部１１３を介して矢印１２０方向に挿入された場合に、当該挿入された電子体温計１００を内部に保持する。７１６は洗浄用の開口部であり、収納ケース７１０の内部を洗浄する際に利用される。なお、洗浄用の開口部７１６は、本体ハウジング７１１のうち、挿入用の開口部１１３に対して、略直交する面に設けられており、本体ハウジング７１１の内部を露出させる。これにより、ユーザは、本体ハウジング７１１の内部を容易に洗浄することができる。
【００８４】
図７の７ｂに示すように、収納ケース７１０の内部にはリブ３０１〜３０３が射出成型等で長手方向に一体的に形成されて配されており、収納された電子体温計１００の本体部１０１のうち、表示部１０４を挟んで、尾部側の位置から先端側の位置までの領域（断面積が最も大きい位置を含む領域）の周面（表面、裏面及び一方の側面）の動きを規制している。
【００８５】
また、図７の７ｂに示すように、収納ケース７１０裏面側の内壁には、保持部材として機能する凸部（嵌合部）３０６が配されており、挿入された電子体温計１００の裏面側の凹部１０６に嵌合する。これにより、例えば、電子体温計１００が収納ケース１１０に収納された状態で、収納ケース１１０がユーザにより逆さまに保持された場合であっても、ただちに、電子体温計１００が収納ケース７１０から滑り落ち、電子体温計１００を破損してしまうといった事態を回避することができる。
【００８６】
以上の説明から明らかなように、本実施形態に係る収納ケース７１０では、電子体温計１００の動きを規制するリブ３０１〜３０３が配された位置以外の位置（側面位置）に、洗浄用の開口部（第２の開口部）７１６を設ける構成とした。
【００８７】
これにより、電子体温計１００を保持するための保持機能を維持しつつ、本体ハウジング７１１内部の洗浄が容易な収納ケースを実現することが可能となった。
【００８８】
なお、本実施形態においても、リブ３０１〜３０３の有無、凸部３０６の個数及び配置は、上記説明に限定されるものではないことはいうまでもない。また、金属キャップ１０２の動きを規制するためのリブが配されていてもよいことはいうまでもない。
【００８９】
［第８の実施形態］
上記第７の実施形態では、洗浄用の開口部７１６を、収納ケース７１０の側面に１つのみ設ける構成としたが、本発明はこれに限定されない。リブ３０１〜３０３が配された位置以外の位置（側面位置）に、洗浄用の開口部を複数設ける構成としてもよい。
【００９０】
図８は、本実施形態に係る収納ケース８１０の構成を示す図であり、８ａは電子体温計１００を矢印１２０に挿入する前の状態を示す外観構成であり、８ｂの紙面上側は、電子体温計１００が、挿入用の開口部１１３を介して矢印１２０方向に挿入され、電子体温計１００が内部に保持された状態を示す外観構成であり、８ｂの紙面下側は、その時のＢ−Ｂ断面における断面構成である。
【００９１】
図８の８ａにおいて、８１１は本体ハウジングであり、電子体温計１００が挿入用の開口部１１３を介して矢印１２０方向に挿入された場合に、当該挿入された電子体温計１００を内部に保持する。８１６、８１６’は洗浄用の開口部であり、収納ケース８１０の内部を洗浄する際に利用される。なお、洗浄用の開口部８１６、８１６’は、本体ハウジング８１１のうち、挿入用の開口部１１３に対して、略直交する面に設けられており、本体ハウジング８１１の内部を露出させる。これにより、ユーザは、本体ハウジング８１１の内部を容易に洗浄することができる。
【００９２】
また、図８の８ｂに示すように、収納ケース８１０の内壁にはリブ３０１〜３０３が配されており、収納された電子体温計１００の本体部１０１のうち、表示部１０４を挟んで、尾部側の位置から先端側の位置までの領域（断面積が最も大きい位置を含む領域）の周面（表面、裏面及び一方の側面）の動きを規制する。
【００９３】
また、図８の８ｂに示すように、収納ケース８１０の裏面側の内壁には、保持部材として機能する凸部（嵌合部）３０６が配されており、挿入された電子体温計１００の裏面側に設けられた凹部１０６に嵌合する。これにより、例えば、電子体温計１００が収納ケース８１０に収納された状態で収納ケース８１０がユーザにより逆さまに保持された場合であっても、ただちに、電子体温計１００が収納ケース８１０から滑り落ち、電子体温計１００を破損してしまうといった事態を回避することができる。
【００９４】
以上の説明から明らかなように、本実施形態に係る収納ケース８１０では、電子体温計１００の動きを規制するリブ３０１〜３０３が配された位置以外の位置に、洗浄用の開口部（第２の開口部）８１６、８１６’を複数設ける構成とした。
【００９５】
これにより、電子体温計１００を保持するための保持機能を維持しつつ、本体ハウジング８１１内部の洗浄が容易な収納ケースを実現することが可能となった。
【００９６】
なお、本実施形態においても、リブ３０１〜３０３の有無、凸部３０６の個数及び配置は、上記説明に限定されるものではないことはいうまでもない。また、金属キャップ１０２の動きを規制するためのリブが配されていてもよいことはいうまでもない。
【００９７】
［第９の実施形態］
上記第１乃至第８の実施形態の収納ケースは、電子体温計１００を保持するための保持機能を有していたが、本発明はこれに限定されず、更に、電子体温計１００の電池交換を行うために、本体部１０１の一部を取り外すための冶具機能を有していてもよい。
【００９８】
図９は、本実施形態に係る収納ケース９１０の構成を示す図である。なお、上記第５の実施形態において図５を用いて説明した収納ケース５１０と同様の構成要素については、同じ参照番号を付し、ここでは、説明を省略する。
【００９９】
図５との相違点は、本体ハウジング５１１の表面側の尾部に、電子体温計１００の電池交換を行う際に、本体部１０１のボタン電池等が収納される電池ハウジングである電池フタ１００１を取り外すために用いられる冶具９００が付加されている点である。
【０１００】
図１０は、電子体温計１００の本体部１０１の電池フタ１００１を取り付けまたは取り外す様子を示した図である。図１０に示すように、電子体温計１００は、本体部１０１の裏面側に、内蔵された電池を覆うための電池フタ１００１を備えており、当該電池フタ１００１を取り外すことにより、内蔵された電池が外部に露出する構成となっている。これにより、ユーザは、専用の工具を用いなくとも、必要に応じて電池交換を行うことができる。
【０１０１】
なお、電池フタ１００１の外周部には、不図示の螺合溝が設けられており、本体部１０１に設けられた螺合孔に螺合することにより、電池フタ１００１は、本体部１０１に固定されることとなる。
【０１０２】
冶具９００は、電池フタ１００１を本体部１０１に固定するために、電池フタ１００１を締めたり、緩めたりする際に用いられる。具体的には、図１０に示すように、冶具９００は、収納ケース９１０の長軸方向の端部に設けられており、電池フタ１００１の表面に設けられた挿入溝（本実施形態では、直線状の溝）１００２に挿入可能な形状を有している。
【０１０３】
これにより、冶具９００を電池フタ１００１の挿入溝１００２に挿入した状態で、収納ケース９１０を回転させることで、電池フタ１００１を、締めたり緩めたりすることが可能となる。
【０１０４】
以上の説明から明らかなように、本実施形態に係る収納ケース９１０では、電子体温計１００の動きを規制するリブ２０１〜２０３が配された位置以外の位置に、洗浄用の開口部５１６を設けるとともに、本体ハウジング５１１の表面側の尾部に、電池交換用の冶具９００を付加する構成とした。
【０１０５】
これにより、電子体温計１００を保持するための保持機能を維持しつつ、本体ハウジング５１１の内部の洗浄が容易で、かつ、電池交換を容易にする収納ケースを実現することが可能となった。
【０１０６】
［第１０の実施形態］
上記第９の実施形態では、電池フタ１００１の表面に直線状の挿入溝１００２が設けられていることを前提とし、冶具９００を当該挿入溝１００２に挿入可能な形状に構成したが本発明はこれに限定されない。例えば、挿入溝の形状が非直線状に形成されている場合にあっては、当該形状に合致する形状に構成してもよい。
【０１０７】
図１１は、電池フタ１００１の表面に設けられた様々な形状の挿入溝１１０１〜１１０４を示す平面図及び断面図と、当該挿入溝１１０１〜１１０４に合致する冶具１１２１〜１１２４を有する収納ケース１１１１〜１１１４の正面図と、を示している。
【０１０８】
図１１に示すように、挿入溝１１０１〜１１０４の形状、位置、個数に合致する形状、位置、個数からなる冶具１１２１〜１１２４を付加することにより、例えば、電池フタ１００１がコイン等を用いて容易に取り外されてしまうことを回避しつつ、専用の工具を用意する手間を省くことが可能となる。
【０１０９】
［第１１の実施形態］
上記第１乃至１０の実施形態では、電子体温計１００の挿入用の開口部と洗浄用の開口部とを別々に設ける構成としたが、本発明はこれに限定されず、挿入用の開口部と洗浄用の開口部とを共通に構成してもよい。
【０１１０】
図１２は、本実施形態に係る収納ケース１２１０の外観構成を示す図であり、紙面左側は、電子体温計１００が収納された状態の収納ケース１２１０を正面から見た場合の平面図であり、紙面右側は側面から見た場合の断面図をそれぞれ示している。
【０１１１】
図１２に示すように、収納ケース１２１０の正面側は全体が開口しており、電子体温計１００は、正面側から収納ケース１２１０に収納することができる。収納ケース１２１０の内壁の幅は、電子体温計１００の本体部１０１のうち、不図示の表示部１０４を挟んで、尾部側の位置から先端側の位置までの領域（断面積が最も大きい位置を含む領域）の幅と概ね等しくなるように構成されている。つまり、電子体温計１００の本体部１０１の側面は、収納ケース１２１０の内壁により把持されている。なお、電子体温計１００の本体部１０１の側面を把持する収納ケース１２１０の一部には、爪部１２１３が設けられており、収納ケース１２１０の開口を下側に向けた場合であっても、電子体温計１００が収納ケース１２１０から落下してしまうことがないように構成されている。
【０１１２】
また、収納ケース１２１０には、電子体温計１００を収納した際の先端位置と、尾部側面位置とに、把持部材１２１１、１２１２が設けられており、電子体温計１００の長軸方向の動きを規制している。
【０１１３】
このように、内壁と把持部材１２１１、１２１２とにより把持されることで、収納ケース１２１０を傾けても、電子体温計１００が収納ケース１２１０内を動くことはない。
【０１１４】
以上の説明から明らかなように、本実施形態に係る収納ケース１２１０では、電子体温計１００の挿入用の開口部と洗浄用の開口部とを共通にし、収納ケース１２１０の正面側に当該開口部を設ける構成とした。更に、収納ケース１２１０の正面側から挿入された電子体温計１００を内壁と把持部材１２１１、１２１２とにより把持する構成とした。
【０１１５】
これにより、電子体温計１００を保持するための保持機能を維持しつつ、内部の洗浄が容易な収納ケースを実現することが可能となった。
【０１１６】
なお、開口部には、開閉可能な（またはスライド可能な）開閉部が設けられていてもよい。また、把持部材の位置及び個数は、上記説明に限定されるものではない。
【０１１７】
また、上記説明では、収納ケース１２１０に爪部１２１３を設ける構成としたが、把持部材１２１１、１２１２に爪部（収納ケース１２１０の開口を下側に向けた場合であっても電子体温計１００が落下してしまうのを防止する機構）を設ける構成としてもよい。
【０１１８】
［その他の実施形態］
本発明は上記実施の形態に制限されるものではなく、本発明の精神及び範囲から離脱することなく、様々な変更及び変形が可能である。従って、本発明の範囲を公にするために、以下の請求項を添付する。
【図１Ａ】
0006013591.tif 000002
【図１Ｂ】
0006013591.tif 000003
【図２Ａ】
0006013591.tif 000004
【図２Ｂ】
0006013591.tif 000005
【図２Ｃ】
0006013591.tif 000006
【図３Ａ】
0006013591.tif 000007
【図３Ｂ】
0006013591.tif 000008
【図４】
0006013591.tif 000009
【図５】
0006013591.tif 000010
【図６】
0006013591.tif 000011
【図７】
0006013591.tif 000012
【図８】
0006013591.tif 000013
【図９】
0006013591.tif 000014
【図１０】
0006013591.tif 000015
【図１１】
0006013591.tif 000016
【図１２】
0006013591.tif 000017